(57)【特許請求の範囲】
【請求項１】
非圧縮動画データを含むパケットを生成する方法において、
前記パケットに含まれる前記非圧縮動画データのピクセルの色成分別ビット数を示す色成分ビット情報を生成する段階と、
前記非圧縮動画データがプラナーフォーマットであるか、統合フォーマットであるかを示す第１フォーマット情報を生成する段階と、
前記色成分ビット情報、前記第１フォーマット情報及び前記非圧縮動画データを含むパケットを生成する段階と、を含むことを特徴とするパケット生成方法。
【請求項２】
前記色成分ビット情報の色成分別ビット数は、複数の所定ビット値のうち一つの値を選択的に持つように構成されることを特徴とする請求項１に記載のパケット生成方法。
【請求項３】
前記色成分ビット情報の色成分別ビット数は、６ビット、８ビット、１０ビット、１２ビット、１４ビットのうち一つの値を選択的に持つように構成されることを特徴とする請求項２に記載のパケット生成方法。
【請求項４】
前記色成分別ビット数は、
前記色成分それぞれが同じビット数を持つように設定されるか、または相異なるビット数を持つように設定されることを特徴とする請求項２に記載のパケット生成方法。
【請求項５】
前記パケット生成方法は、
前記色成分ビット情報及び前記非圧縮動画データを含むパケットを伝送する段階をさらに含むことを特徴とする請求項１に記載のパケット生成方法。
【請求項６】
非圧縮動画データを含むパケットを生成する装置において、
前記パケットに含まれる前記非圧縮動画データのピクセルの色成分別ビット数を示す色成分ビット情報を生成する情報生成部と、
前記非圧縮動画データがプラナーフォーマットであるか、統合フォーマットであるかを示す第１フォーマット情報を生成する段階と、
前記色成分ビット情報、前記第１フォーマット情報及び前記非圧縮動画データを含むパケットを生成するパケット生成部と、を備えることを特徴とするパケット生成装置。
【請求項７】
前記色成分ビット情報の色成分別ビット数は、複数の所定ビット値のうち一つの値を選択的に持つように構成されることを特徴とする請求項６に記載のパケット生成装置。
【請求項８】
前記色成分ビット情報の色成分別ビット数は、６ビット、８ビット、１０ビット、１２ビット、１４ビットのうち一つの値を選択的に持つように構成されることを特徴とする請求項７に記載のパケット生成装置。
【請求項９】
前記色成分別ビット数は、
前記色成分それぞれが同じビット数を持つように設定されるか、または相異なるビット数を持つように設定されることを特徴とする請求項７に記載のパケット生成装置。
【請求項１０】
請求項１に記載の方法を行わせるためのプログラムが記録されたコンピュータで読み取り可能な記録媒体。
【請求項１１】
非圧縮動画データを含むパケットを生成する方法において、
色成分ビット情報及びピクセルビット情報のうち少なくとも一つを生成する段階と、
前記非圧縮動画データがプラナーフォーマットであるか、統合フォーマットであるかを示す第１フォーマット情報を生成する段階と、
前記非圧縮動画データ及び前記第１フォーマット情報と、前記色成分ビット情報及び前記ピクセルビット情報のうち少なくとも一つを含むパケットを生成する段階と、を含むが、
前記色成分ビット情報は、前記パケットに含まれる非圧縮動画データのピクセルの色成分別ビット数を示し、
前記ピクセルビット情報は、前記パケットに含まれる非圧縮動画データのピクセルのビット数を示すことを特徴とするパケット生成方法。
【請求項１２】
請求項１１に記載の方法を行わせるためのプログラムが記録されたコンピュータで読み取り可能な記録媒体。
【請求項１３】
非圧縮動画データを含むパケットを処理する方法において、
非圧縮動画データと、前記非圧縮動画データがプラナーフォーマットであるか統合フォーマットであるかを示す第１フォーマット情報と、色成分ビット情報及びピクセルビット情報のうち少なくとも一つとを含むパケットを受信する段階と、
前記第１フォーマット情報と、前記色成分ビット情報及びピクセルビット情報のうち少なくとも一つとによって前記受信されたパケットを処理する段階と、を含み、
前記色成分ビット情報は、前記パケットに含まれた非圧縮動画データのピクセルの色成分別ビット数を示し、
前記ピクセルビット情報は、前記パケットに含まれた非圧縮動画データのピクセルのビット数を示すことを特徴とするパケット処理方法。
【請求項１４】
請求項１３に記載の方法を行わせるためのプログラムが記録されたコンピュータで読み取り可能な記録媒体。
【発明の詳細な説明】
【技術分野】
【０００１】
本発明は、非圧縮動画データパケットを生成する方法及びその装置に関する。
【背景技術】
【０００２】
無線通信技術の発達につれて、狭い帯域幅を介して圧縮動画データを伝送する代りに広い帯域幅を介して非圧縮動画データを伝送可能になった。非圧縮動画データを伝送する伝送デバイスは、非圧縮動画データを数のパケットに分割して伝送するが、その非圧縮動画データについてのパケットには、そのパケットに含まれた非圧縮動画データに関する情報を示すヘッダを含ませることで、その非圧縮動画データが含まれたパケットを受信した受信デバイスがそのパケットを処理可能にする。
【発明の概要】
【発明が解決しようとする課題】
【０００３】
本発明の目的は、非圧縮動画データパケットを生成する方法及びその装置を提供することである。
【課題を解決するための手段】
【０００４】
前記目的を達成するための本発明の一実施形態による非圧縮動画データを含むパケットを生成する方法は、前記パケットに含まれる前記非圧縮動画データのピクセルの色成分別ビット数を示す色成分ビット情報を生成する段階と、前記パケットに含まれる前記非圧縮動画データのピクセルのビット数を示すピクセルビット情報を生成する段階と、前記色成分ビット情報及び前記非圧縮動画データを含むパケットを生成する段階と、を含む。
【０００５】
望ましくは、前記パケットは、前記色成分ビット情報及び前記ピクセルビット情報を含むヘッダをさらに備える。
【０００６】
望ましくは、前記色成分ビット情報の色成分別ビット数は、複数の所定ビット値のうち一つの値を持つように構成され、前記ピクセルビット情報は、前記ピクセルのビット数が複数の所定ビット値のうち一つの値を持つように構成される。
【０００７】
望ましくは、前記色成分ビット情報は、前記ピクセルの色成分別ビット数は、６ビット、８ビット、１０ビット、１２ビット、１４ビットのうち一つの値を持つように構成され、前記ピクセルビット情報は、前記ピクセルのビット数は、１８ビット、２４ビット、３０ビット、３６ビット、４２ビットのうち一つの値を持つように構成される。
【０００８】
望ましくは、前記ピクセルの色成分別ビット数は、前記ピクセルの色成分それぞれが同じビット数を持つように設定されるか、または相異なるビット数を持つように設定される。
【０００９】
望ましくは、前記パケットは、前記非圧縮動画データがピクセルそれぞれから同じ色成分を抽出し、同じ色成分同士で取り集めて配列されるプラナーフォーマット（ｐｌａｎａｒ  ｆｏｒｍａｔ）を持つか、または前記ピクセルの色成分をピクセル単位で取り集めて配列される統合フォーマット（ｐａｃｋｅｄ  ｆｏｒｍａｔ）を持つかを示す第１フォーマット情報、前記非圧縮動画データがＲＧＢフォーマット、ＹＣｂＣｒフォーマット及びＹＣｏＣｇフォーマットのうちいかなるフォーマットを持つかを示す第２フォーマット情報、前記非圧縮動画データがＹＣｂＣｒフォーマットまたはＹＣｏＣｇフォーマットを持つ場合、４：４：４サンプリングパターン、４：２：２サンプリングパターン及び４：２：０サンプリングパターンのうちいかなるサンプリングパターンを持つかを示すサンプリングパターン情報、及び前記パケットに前記非圧縮動画データの色成分のうち一つの色成分のみ含まれた場合、前記パケットにいかなる色成分が含まれているかを示す色成分識別情報のうち少なくとも一つをさらに含む。
【００１０】
望ましくは、前記パケットは、前記色成分ビット情報及び前記ピクセルビット情報のうち少なくとも一つと、前記第１フォーマット情報、前記第２フォーマット情報、前記サンプリングパターン情報及び前記色成分識別情報のうち少なくとも一つを含む成分構成フィールドをさらに備える。
【００１１】
望ましくは、前記パケットは、前記第１フォーマット情報、前記第２フォーマット情報、前記サンプリングパターン情報及び前記色成分識別情報のうち少なくとも一つを含む成分構成フィールド及び前記色成分ビット情報及び前記ピクセルビット情報のうち少なくとも一つを含む色深度フィールドをさらに備える。また、前記目的を達成するための本発明の他の実施形態による非圧縮動画データを含むパケットを生成する装置は、前記パケットに含まれる前記非圧縮動画データのピクセルの色成分別ビット数を示す色成分ビット情報を生成し、前記パケットに含まれる前記非圧縮動画データのピクセルのビット数を示すピクセルビット情報を生成する情報生成部と、前記色成分ビット情報及び前記ピクセルビット情報のうち少なくとも一つ及び前記非圧縮動画データを含むパケットを生成するパケット生成部と、を備える。
【００１２】
また、本発明のさらに他の実施形態は、前記目的を達成するために、非圧縮動画データを含むパケットに含まれる前記非圧縮動画データのピクセルの色成分別ビット数を示す色成分ビット情報を生成する段階と、前記パケットに含まれる前記非圧縮動画データのピクセルのビット数を示すピクセルビット情報を生成する段階と、前記色成分ビット情報及び前記ピクセルビット情報のうち少なくとも一つ及び前記非圧縮動画データを含むパケットを生成する段階と、を含む非圧縮動画データパケット生成方法を行わせるためのプログラムが記録されたコンピュータで読み取り可能な記録媒体を提供する。
【００１３】
また、本発明のさらに他の実施形態は、非圧縮動画データを含むパケットの生成方法において、色成分ビット情報及びピクセルビット情報のうち少なくとも一つを生成する段階と、前記非圧縮動画データと、前記色成分ビット情報及び前記ピクセルビット情報のうち少なくとも一つとを含むパケットを生成する段階と、を含むが、前記色成分ビット情報は、前記パケットに含まれる非圧縮動画データのピクセルの色成分別ビット数を示し、前記ピクセルビット情報は、前記パケットに含まれる非圧縮動画データのピクセルのビット数を示す。
【００１４】
また、本発明のさらに他の実施形態は、非圧縮動画データを含むパケットを処理する方法において、非圧縮動画データと、色成分ビット情報及びピクセルビット情報のうち少なくとも一つとを含むパケットを受信する段階と、前記色成分ビット情報及びピクセルビット情報のうち少なくとも一つによって前記受信されたパケットを処理する段階と、を含むが、前記色成分ビット情報は、前記パケットに含まれた非圧縮動画データのピクセルの色成分別ビット数を示し、前記ピクセルビット情報は、前記パケットに含まれた非圧縮動画データのピクセルのビット数を示す。
【図面の簡単な説明】
【００１５】
【図１】本発明の第１実施形態による非圧縮動画データパケット生成方法を説明するために示すフローチャートである。
【図２】本発明の第１実施形態による非圧縮動画データパケットのヘッダを説明するために示す図面である。
【図３】本発明の第２実施形態による成分構成フィールドを説明するために示す図面である。
【図４】本発明の第３実施形態による成分構成フィールドを説明するために示す図面である。
【図５】本発明の第４実施形態による成分構成フィールドを説明するために示す図面である。
【図６】本発明の第２実施形態による非圧縮動画データパケットのヘッダを説明するために示す図面である。
【図７】本発明の第２実施形態による色深度フィールドを説明するために示す図面である。
【図８】本発明の第１実施形態による非圧縮動画データパケット生成装置を説明するために示す図面である。
【図９】本発明の第１実施形態による非圧縮動画データパケットを伝送する方法を説明するために示すフローチャートである。
【発明を実施するための形態】
【００１６】
以下、添付した図面を参照して本発明の望ましい実施形態について詳細に説明する。
【００１７】
図１は、本発明の第１実施形態による非圧縮動画データパケット生成方法を説明するために示すフローチャートである。段階１１０では、非圧縮動画データパケットに含まれる非圧縮動画データのピクセルの色成分別ビット数を示す色成分ビット情報を生成する。段階１２０では、その非圧縮動画データパケットに含まれる非圧縮動画データを構成するピクセルのビット数を示すピクセルビット情報を生成する。段階１３０では、その色成分ビット情報及びそのピクセルビット情報のうち少なくとも一つ及び非圧縮動画データを含むパケットを生成する。
【００１８】
本発明の一実施形態は、このように非圧縮動画データパケットを生成する時、そのパケットに含まれる非圧縮動画データに関する色成分ビット情報及びピクセルビット情報のうち少なくとも一つを非圧縮動画データパケットに含ませることで、従来に非圧縮動画データパケットを伝送する途中で、パケットに含まれる非圧縮動画データのピクセルの色成分別ビット数やそのピクセルのビット数を変更すれば、その変更された非圧縮動画データを含むパケットを受信した受信デバイスがその受信されたパケットを処理できなかったという問題点を解決可能になる。
【００１９】
一方、他の実施形態では、色成分ビット情報及びピクセルビット情報は非圧縮動画データパケットのヘッダに含まれる。以下、図２及び図６を参照して、非圧縮動画データパケットのヘッダの構造について説明する。
【００２０】
図２は、本発明の第１実施形態による非圧縮動画データパケットのヘッダを説明するために示す図面である。図２を参照すれば、本発明の第１実施形態による非圧縮動画データパケットのヘッダ２００は、動画フレーム番号フィールド２１０、スライス番号フィールド２１２、成分構成フィールド２１４、値類型フィールド２１６、ブロックモードフィールド２１８、ピクセル位置フィールド２２０及びビットプレーンマップフィールド２２２を含む。動画フレーム番号フィールド２１０は、非圧縮動画データパケットに含まれた非圧縮動画データが属する動画フレームの番号を示す。
【００２１】
スライス番号フィールド２１２は、非圧縮動画データパケットに含まれた非圧縮動画データが属する動画フレームが複数のスライスに分割された場合に、その複数のスライスのうち、非圧縮動画データパケットに含まれている非圧縮動画データが属するスライスの番号を示す。
【００２２】
成分構成フィールド２１４は、非圧縮動画データパケットに含まれた非圧縮動画データのフォーマットを示す。
【００２３】
図２では、本発明の第１実施形態による成分構成フィールド２１４が示されているが、図２の成分構成フィールド２１４は、次のような４個の下位フィールドを含む。
【００２４】
第１の下位フィールド２１４ａは、非圧縮動画データがピクセルそれぞれから色成分を抽出し、抽出された色成分のうち同じ色成分同士で取り集めて配列するプラナーフォーマット（ｐｌａｎａｒ  ｆｏｒｍａｔ）を持つか、あるいは、ピクセルの色成分をピクセル単位で取り集めて配列する統合フォーマット（ｐａｃｋｅｄ  ｆｏｒｍａｔ）を持つかを示す第１フォーマット情報を含む。
【００２５】
例えば、第１の下位フィールド２１４ａの値が０に設定されれば、プラナーフォーマットを示し、１に設定されれば、統合フォーマットを示す。
【００２６】
第２の下位フィールド２１４ｂは、非圧縮動画データがＲＧＢフォーマット、ＹＣｂＣｒフォーマット及びＹＣｏＣｇフォーマットのうちいかなるフォーマットを持つかを示す第２フォーマット情報を含む。
【００２７】
例えば、第２の下位フィールド２１４ｂの値が０ｂ００に設定されれば、ＲＧＢフォーマットを示し、０ｂ０１に設定されれば、ＹＣｂＣｒフォーマットを示し、０ｂ１０に設定されれば、ＹＣｏＣｇフォーマットを示す。
【００２８】
第３の下位フィールド２１４ｃは、非圧縮動画データがＹＣｂＣＲフォーマットまたはＹＣｏＣｇフォーマットを持つ場合、４：４：４サンプリングパターン、４：２：２サンプリングパターン及び４：２：０サンプリングパターンのうちいかなるサンプリングパターンを持つかを示すサンプリングパターン情報を含む。
【００２９】
例えば、第３の下位フィールド２１４ｃの値が０ｂ００に設定されれば、４：４：４サンプリングパターンを示し、０ｂ０１に設定されれば、４：２：２サンプリングパターンを示し、０ｂ１０に設定されれば、４：２：０サンプリングパターンを示す。
【００３０】
第４の下位フィールド２１４ｄは、非圧縮動画データパケットに非圧縮動画データの色成分のうち一つの色成分のみ含まれた場合、その非圧縮動画データパケットにいかなる色成分が含まれているかを示す色成分識別情報を含む。
【００３１】
例えば、第４の下位フィールド２１４ｄはビット５ないしビット７に該当するが、ビット５の値が１に設定されれば、色成分ＲまたはＹを示し、ビット６の値が１に設定されれば、色成分Ｇ、ＣｂまたはＣｏを示し、ビット７の値が１に設定されれば、色成分Ｂ、ＣｒまたはＣｇを示す。
【００３２】
一方、他の実施形態では、成分構成フィールド２１４が他のフィールドをさらに含むが、これについては、図３ないし図５を参照して後述する。
【００３３】
値類型フィールド２１６は、非圧縮動画データパケットに含まれた非圧縮動画データのピクセル値がピクセルの原本値であるか、またはエントロピーコーディングが適用された、あるいは適用されていない原本値間の差値であるかに関する情報を示す。
【００３４】
ブロックモードフィールド２１８は、非圧縮動画データパケットに含まれる非圧縮動画データのピクセルが所定数のピクセルで構成されるブロックに含まれる時、そのブロックのモードを示す。
【００３５】
例えば、ブロックモードが１×１である場合には、一つのブロックに１個のピクセルが含まれ、ブロックモードが２×２である場合には、一つのブロックに４個のピクセルが含まれる。
【００３６】
ピクセル位置フィールド２２０は、非圧縮動画データのピクセルがブロックそれぞれでいかなる位置に存在するかを示す。ビットプレーンマップフィールド２２２は、いかなるビットプレーンが非圧縮動画データパケットに含まれているかどうかを示す。
【００３７】
図３は、本発明の第２実施形態による成分構成フィールドを説明するために示す図面である。図３を参照すれば、本発明の第２実施形態による成分構成フィールド２１４は、第１の下位フィールド２１４ａないし第６の下位フィールド２１４ｆを含む。ここで、第１の下位フィールド２１４ａないし第４の下位フィールド２１４ｄは、図２の成分構成フィールド２１４の第１の下位フィールド２１４ａないし第４の下位フィールド２１４ｄと同一であるので、説明を略する。
【００３８】
第５の下位フィールド２１４ｅは、非圧縮動画データのピクセルの色成分別ビット数を示す色成分ビット情報を含む。例えば、第５の下位フィールド２１４ｅの値が０ｂ０００に設定されれば、非圧縮動画データピクセルの色成分別ビット数が６ビットであることを示し、０ｂ００１に設定されれば、８ビットであることを示し、０ｂ０１０に設定されれば、１０ビットであることを示し、０ｂ０１１に設定されれば、１２ビットであることを示し、０ｂ１００に設定されれば、１４ビットであることを示す。
【００３９】
図３の第５の下位フィールド２１４ｅでは、非圧縮動画データピクセルの色成分それぞれが同じビット数を持つように構成されている。例えば、第５の下位フィールド２１４ｅで、非圧縮動画データピクセルの色成分別ビット数が６ビットに設定されれば、ピクセルの色成分それぞれを表現するために６ビットずつ使われる。
【００４０】
第６の下位フィールド２１４ｆは、未来の使用または他の情報のためにあけておいた予約フィールドである。
【００４１】
図４は、本発明の第３実施形態による成分構成フィールドを説明するために示す図面である。図４を参照すれば、本発明の第３実施形態による成分構成フィールド２１４は、第１の下位フィールド２１４ａないし第８の下位フィールド２１４ｆを含む。
【００４２】
ここで、第１の下位フィールド２１４ａないし第４の下位フィールド２１４ｄは、図２の成分構成フィールド２１４の第１の下位フィールド２１４ａないし第４の下位フィールド２１４ｄと同一であり、第８の下位フィールド２１４ｆは、図３の成分構成フィールド２１４の第６の下位フィールド２１４ｆと同一であるので、説明を略する。
【００４３】
第５の下位フィールド２１４ｈは、色成分ＲまたはＹを表現するために必要なビット数を示す。例えば、第５の下位フィールド２１４ｈの値が０ｂ０００に設定されれば、非圧縮動画データピクセルの色成分ＲまたはＹを表現するためのビット数が６ビットであることを示し、０ｂ００１に設定されれば、８ビットであることを示し、０ｂ０１０に設定されれば、１０ビットであることを示し、０ｂ０１１に設定されれば、１２ビットであることを示し、０ｂ１００に設定されれば、１４ビットであることを示す。
【００４４】
第６の下位フィールド２１４ｉは、色成分Ｇ、ＣｂまたはＣｏを表現するために必要なビット数を示す。例えば、第６の下位フィールド２１４ｉの値が０ｂ０００に設定されれば、非圧縮動画データピクセルの色成分Ｇ、ＣｂまたはＣｏを表現するためのビット数が６ビットであることを示し、０ｂ００１に設定されれば、８ビットであることを示し、０ｂ０１０に設定されれば、１０ビットであることを示し、０ｂ０１１に設定されれば、１２ビットであることを示し、０ｂ１００に設定されれば、１４ビットであることを示す。
【００４５】
第７の下位フィールド２１４ｊは、色成分Ｂ、ＣｒまたはＣｇを表現するために必要なビット数を示す。
【００４６】
例えば、第６の下位フィールド２１４ｊの値が０ｂ０００に設定されれば、非圧縮動画データピクセルの色成分Ｂ、ＣｒまたはＣｇを表現するためのビット数が６ビットであることを示し、０ｂ００１に設定されれば、８ビットであることを示し、０ｂ０１０に設定されれば、１０ビットであることを示し、０ｂ０１１に設定されれば、１２ビットであることを示し、０ｂ１００に設定されれば、１４ビットであることを示す。
【００４７】
図４の第５の下位フィールド２１４ｈないし第７の下位フィールド２１４ｊでは、非圧縮動画データピクセルの色成分それぞれが同じビット数を持つか、または相異なるビット数を持つように構成されている。例えば、第５の下位フィールド２１４ｈ、第６の下位フィールド２１４ｉ、第７の下位フィールド２１４ｊがいずれも６ビットを示すように設定されても、それぞれ６ビット、８ビット、１２ビットを示すように設定されてもよい。
【００４８】
図５は、本発明の第４実施形態による成分構成フィールドを説明するために示す図面である。図５を参照すれば、本発明の第４実施形態による成分構成フィールド２１４は、第１の下位フィールド２１４ａないし第６の下位フィールド２１４ｆを含む。ここで、第１の下位フィールド２１４ａないし第４の下位フィールド２１４ｄは、図２の成分構成フィールド２１４の第１の下位フィールド２１４ａないし第４の下位フィールド２１４ｄと同一であり、第６の下位フィールド２１４ｆは図３の成分構成フィールド２１４の第６の下位フィールド２１４ｆと同一であるので、説明を略する。
【００４９】
第５の下位フィールド２１４ｇは、非圧縮動画データを構成するピクセルのビット数を示すピクセルビット情報を含む。例えば、第５の下位フィールド２１４ｇの値が０ｂ０００に設定されれば、非圧縮動画データピクセルのビット数が１８ビットであることを示し、０ｂ００１に設定されれば、２４ビットであることを示し、０ｂ０１０に設定されれば、３０ビットであることを示し、０ｂ０１１に設定されれば、３６ビットであることを示し、０ｂ１００に設定されれば、４２ビットであることを示す。
【００５０】
図６は、本発明の第２実施形態による非圧縮動画データパケットのヘッダを説明するために示す図面である。図６を参照すれば、本発明の第２実施形態による非圧縮動画データパケットのヘッダ６００は、動画フレーム番号フィールド６１０、スライス番号フィールド６１２、成分構成フィールド６１４、色深度フィールド６１５、値類型フィールド６１６、ブロックモードフィールド６１８、ピクセル位置フィールド６２０及びビットプレーンマップフィールド６２２を含む。
【００５１】
ここで、動画フレーム番号フィールド６１０、スライス番号フィールド６１２、成分構成フィールド６１４、値類型フィールド６１６、ブロックモードフィールド６１８、ピクセル位置フィールド６２０及びビットプレーンマップフィールド６２２は、図２の動画フレーム番号フィールド２１０、スライス番号フィールド２１２、成分構成フィールド２１４、値類型フィールド２１６、ブロックモードフィールド２１８、ピクセル位置フィールド２２０及びビットプレーンマップフィールド２２２と同一であるので、説明を略する。
【００５２】
色深度フィールド６１５は、非圧縮動画データの色深度に関する情報を示す。図６では、本発明の第１実施形態による色深度フィールド６１５が示されているが、図６の成分構成フィールド６１５は、次のような２個の下位フィールドを含む。
【００５３】
第１の下位フィールド６１５ａは、非圧縮動画データのピクセルの色成分別ビット数を示す色成分ビット情報を含む。例えば、第１の下位フィールド６１５ａの値が０ｂ０００に設定されれば、非圧縮動画データピクセルの色成分別ビット数が６ビットであることを示し、０ｂ００１に設定されれば、８ビットであることを示し、０ｂ０１０に設定されれば、１０ビットであることを示し、０ｂ０１１に設定されれば、１２ビットであることを示し、０ｂ１００に設定されれば、１４ビットであることを示す。
【００５４】
第２の下位フィールド６１５ｂは、未来の使用のためにあけておいた予約フィールドである。
【００５５】
一方、他の実施形態では色深度フィールド６１５が他の構造を持つことがあるが、これについては、図７を参照して後述する。
【００５６】
図７は、本発明の第２実施形態による色深度フィールドを説明するために示す図面である。図７を参照すれば、本発明の第２実施形態による色深度フィールド６１５は、第１の下位フィールド６１５ｃ及び第２の下位フィールド６１５ｂを含む。
【００５７】
第１の下位フィールド６１５ｃは、非圧縮動画データを構成するピクセルのビット数を示すピクセルビット情報を含む。例えば、第１の下位フィールド６１５ｃの値が０ｂ０００に設定されれば、非圧縮動画データピクセルのビット数が１８ビットであることを示し、０ｂ００１に設定されれば、２４ビットであることを示し、０ｂ０１０に設定されれば、３０ビットであることを示し、０ｂ０１１に設定されれば、３６ビットであることを示し、０ｂ１００に設定されれば、４２ビットであることを示す。
【００５８】
図８は、本発明の第１実施形態による非圧縮動画データパケット生成装置を説明するために示す図面である。図８を参照すれば、本発明の第１実施形態による非圧縮動画データパケット生成装置は、情報生成部８１０及びパケット生成部８２０を備える。情報生成部８１０は、非圧縮動画データパケットに含まれる非圧縮動画データのピクセルの色成分別ビット数を示す色成分ビット情報を生成し、その非圧縮動画データを構成するピクセルのビット数を示すピクセルビット情報を生成する。
【００５９】
パケット生成部８２０は、色成分ビット情報及びピクセルビット情報のうち少なくとも一つと非圧縮動画データを含む非圧縮動画データパケットを生成する。この時、パケット生成部８２０が生成した非圧縮動画データパケットは、非圧縮動画データがピクセルそれぞれから同じ色成分を抽出し、同じ色成分同士で取り集めて配列されるプラナーフォーマットを持つか、または前記ピクセルの色成分をピクセル単位で取り集めて配列される統合フォーマットを持つかを示す第１フォーマット情報、非圧縮動画データがＲＧＢフォーマット、ＹＣｂＣｒフォーマット及びＹＣｏＣｇフォーマットのうちいかなるフォーマットを持つかを示す第２フォーマット情報、非圧縮動画データがＹＣｂＣｒフォーマットまたはＹＣｏＣｇフォーマットを持つ場合、４：４：４サンプリングパターン、４：２：２サンプリングパターン及び４：２：０サンプリングパターンのうちいかなるサンプリングパターンを持つかを示すサンプリングパターン情報、及び非圧縮動画データパケットに非圧縮動画データの色成分のうち一つの色成分のみ含まれた場合、そのパケットにいかなる色成分が含まれているかを示す色成分識別情報のうち少なくとも一つをさらに含む。
【００６０】
他の実施形態で、本発明の第１実施形態による非圧縮動画データパケット生成装置は、パケット生成部８２０が生成した非圧縮動画データパケットを伝送するための伝送部（図示せず）をさらに備える。
【００６１】
図９は、本発明の第１実施形態による非圧縮動画データパケットを伝送する方法を説明するために示すフローチャートである。
【００６２】
第１段階では、第１デバイス９１０が、色成分ビット情報及びピクセルビット情報のうち少なくとも一つを含む非圧縮動画データパケットを第２デバイス９２０に伝送する。
【００６３】
第２段階では、第２デバイス９２０が、色成分ビット情報及びピクセルビット情報のうち少なくとも一つに基づいて、受信された非圧縮動画データパケットを処理する。
【００６４】
第３段階では、第１デバイス９１０が、色成分ビット情報及びピクセルビット情報のうち少なくとも一つを変更する。
【００６５】
第４段階では、第１デバイス９１０が、変更された色成分ビット情報及び変更されたピクセルビット情報のうち少なくとも一つを含む非圧縮動画データパケットを第２デバイス９２０に伝送する。
【００６６】
第５段階では、第２デバイス９２０が、変更された色成分ビット情報及び変更されたピクセルビット情報のうち少なくとも一つに基づいて、受信された非圧縮動画データパケットを処理する。
【００６７】
一方、前述した本発明の実施形態は、コンピュータで行われるプログラムで作成でき、コンピュータで読み取り可能な記録媒体を用いて前記プログラムを動作させる汎用デジタルコンピュータで具現される。
【００６８】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）を含む。
【００６９】
これまで本発明についてその望ましい実施形態を中心として説明した。
【００７０】
当業者ならば、本発明が本発明の本質的な特性から逸脱しない範囲で変形された形態に具現されるということを理解できるであろう。したがって、開示された実施形態は限定的な観点ではなく説明的な観点で考慮されねばならない。本発明の範囲は前述した説明ではなく特許請求の範囲に示されており、それと同等な範囲内にあるすべての差異は本発明に含まれていると解釈されねばならない。
【図１】
0005912116.tif 000002
【図２】
0005912116.tif 000003
【図３】
0005912116.tif 000004
【図４】
0005912116.tif 000005
【図５】
0005912116.tif 000006
【図６】
0005912116.tif 000007
【図７】
0005912116.tif 000008
【図８】
0005912116.tif 000009
【図９】
0005912116.tif 000010